(57)【要約】【課題】  ガセット袋に対する塑性変形可能な線状部材の取付け作業を、線状部材が複雑な形状であってもスムーズ且つ安定した状態で行うことを可能にする線状部材取付け方法を提供する。【解決手段】  前後一対の正面部１６と、折込み可能な左右一対の側面折込み部１４とを備えるガセット袋１０に塑性変形可能な線状部材１１を取付けるための取付け方法であって、粘着面２０と反対側の面を空気吸引吸着装置２３の吸着面２１に吸着して粘着ラベル２２を保持した状態で、線状部材配置台２５の非粘着面に空気吸引吸着装置２３を押付けて、線状部材配置台２５上に所定の形状に配置された線状部材１１を粘着ラベル２２に粘着させ、この粘着ラベル２２を、空気吸引吸着装置２３によって、貼着台座２７に設置したガセット袋１０の被貼着面２６に押付けることにより貼着して、ガセット袋１０の所定の位置に線状部材１１を取付ける。【選択図】  図３
2005111723.tif 000002
【特許請求の範囲】
【請求項１】
前後一対の正面部と、これらの正面部の内側に折り込み可能な左右一対の側面折り込み部とを備えるガセット袋に塑性変形可能な線状部材を取り付けるための線状部材取付け方法であって、
粘着ラベルの粘着面と反対側の面を空気吸引吸着装置の吸着面に吸着して該粘着ラベルを保持した状態で、非粘着面又は難粘着面からなる線状部材配置台の配置面に前記空気吸引吸着装置を押し付けることにより、前記配置台において所定の形状に配置された前記線状部材を前記粘着ラベルに粘着させ、
該線状部材を粘着した粘着ラベルを、前記空気吸引吸着装置によって、貼着台座に設置したガセット袋の被貼着面に押し付けることにより前記粘着ラベルを貼着して、ガセット袋の所定の位置に前記塑性変形可能な線状部材を取り付けるガセット袋への線状部材取付け方法。
【請求項２】
前記粘着ラベルが貼着されるガセット袋の所定の位置は前記側面折り込み部であり、前記配置台に配置される前記線状部材の所定の形状は、一対の縦方向線状部材の一端部分に横方向線状部材を介在させたコの字形状である請求項１記載のガセット袋への線状部材取付け方法。
【請求項３】
前後一対の正面部と、これらの正面部の内側に折り込み可能な左右一対の側面折り込み部とを備えるガセット袋に塑性変形可能な線状部材を取り付けるための線状部材取付け装置であって、
粘着面と反対側の面を吸着面に吸着して粘着ラベルを保持する空気吸引吸着装置と、非粘着面又は難粘着面からなる配置面を備え、該配置面に前記線状部材が所定の形状に配置される線状部材配置台と、前記粘着ラベルが貼着されるガセット袋の被貼着面を前記空気吸引吸着装置の吸着面に対面させる状態でガセット袋を保持する貼着台座とによって構成されるガセット袋への線状部材取付け装置。
【請求項４】
前記線状部材配置台の配置面には、前記線状部材が所定の形状に配置されるようにガイドするガイド溝が設けられている請求項３記載のガセット袋への線状部材取付け装置。
【請求項５】
前記ガイド溝に沿って前記線状部材配置台に磁性体が設けられている請求項４記載のガセット袋への線状部材取付け装置。
【請求項６】
前記貼着台座は、一対の分割台座からなり、該一対の分割台座間の隙間に前記正面部を挟み込み、一方の側面折り込み部を前記一対の分割台座の上面で開いて前記正面部と共にＴ字断面形状を形成させることにより、前記一方の側面折り込み部を被貼着面として前記空気吸引吸着装置の吸着面に対面させる請求項３〜５のいずれかに記載のガセット袋への線状部材取付け装置。
【発明の詳細な説明】
【技術分野】
【０００１】
本発明は、ガセット袋への線状部材取付け方法及び取付け装置に関し、特に前後一対の正面部と、これらの正面部の内側に折り込み可能な左右一対の側面折り込み部とを備えるガセット袋に塑性変形可能な線状部材を取り付けるためのガセット袋への線状部材取付け方法及び取付け装置に関する。
【背景技術】
【０００２】
ガセット袋は、一枚又は複数枚のシート材料から形成される、前後一対の正面部と、これらの正面部の内側にＶ字状に折り込み可能な左右一対の側面折り込み部とを備える袋であって、側面折り込み部を折り込んで平坦に折り畳まれている状態から、開口部付近の折り込み部分を開いて矩形形状の上端開口を形成し、この上端開口から内部に種々の収容物を収容できるようになっている。
【０００３】
また、ガセット袋は、これを構成するシート材料や当該ガセット袋の形態等を工夫することにより、その用途が拡大している。例えば粉状又は粒状の洗剤等を収容する袋容器として、上端開口を封止することにより収容物を封入した状態で製品化され、使用者は、上端の封止部分を切り取って上端開口を形成し、洗剤等を繰り返し取り出して使用できるようにしたガセット袋においては、封止部分を切り取った後に開口した上端開口を再び容易に閉塞できるようにする必要がある他、再度開口した上端開口から洗剤等を容易に取り出せるようにする必要がある。
【０００４】
このようなガセット袋の上端開口の開閉を容易かつスムーズにできるようにすると共に、閉塞時に収容物を効果的に保存できるようにする手段として、例えば本願出願人の出願に係る特願２００３−１１４９１２号には、ガセット袋の正面部と側面折り込み部とが連接する立辺に沿って、塑性変形可能な縦方向線状部材を取出し口部から胴部にかけて取り付けたり、さらに横方向線状部材を取り付けたものが開発されている。
【０００５】
一方、ガセット袋にこれらの塑性変形可能な線状部材を取り付ける一般的な取付け方法としては、例えば袋の製造時に当該袋を構成するフィルム（シート材料）の貼着部に塑性金属材を介在させる方法や、予め樹脂テープの接着面に塑性金属材を貼着し、この樹脂テープを介して袋の任意の位置に塑性金属材を取り付ける方法を採用することが可能である（例えば、特許文献１参照）。
【特許文献１】特開平１１−１０００４８号公報
【発明の開示】
【発明が解決しようとする課題】
【０００６】
しかしながら、上記従来のシート材料からなる袋に塑性変形可能な線状部材を取り付けるための一般的な方法によれば、これをガセット袋に適用する際には、その作業をスムーズに行うことができず、また取付け作業の安定した機械化を図ることが困難になる場合がある。すなわち、特に塑性変形可能な線状部材を、折り込み可能な側面折り込み部に取り付ける際には、取り付けられる線状部材の形状が一本の直線によって構成されるものではなく、例えば一対の縦方向線状部材の一端部分に横方向線状部材を介在させたコの字形状等、複数の直線や曲線によって構成される複雑なものである場合には、例えば線状部材の端部が浮き上がりやすくなって位置決めし難くなること等により、スムーズ且つ安定した取り付け作業を行ってゆくことが困難になる。
【０００７】
本発明は、ガセット袋に対する塑性変形可能な線状部材の取付け作業を、線状部材が複雑な形状であってもスムーズ且つ安定した状態で行うことを可能にするガセット袋への線状部材取付け方法及び取付け装置を提供することを目的とする。
【課題を解決するための手段】
【０００８】
本発明は、前後一対の正面部と、これらの正面部の内側に折り込み可能な左右一対の側面折り込み部とを備えるガセット袋に塑性変形可能な線状部材を取り付けるための線状部材取付け方法であって、粘着ラベルの粘着面と反対側の面を空気吸引吸着装置の吸着面に吸着して該粘着ラベルを保持した状態で、非粘着面又は難粘着面からなる線状部材配置台の配置面に前記空気吸引吸着装置を押し付けることにより、前記配置台において所定の形状に配置された前記線状部材を前記粘着ラベルに粘着させ、該線状部材を粘着した粘着ラベルを、前記空気吸引吸着装置によって、貼着台座に設置したガセット袋の被貼着面に押し付けることにより前記粘着ラベルを貼着して、ガセット袋の所定の位置に前記塑性変形可能な線状部材を取り付けるガセット袋への線状部材取付け方法を提供することにより、上記目的を達成したものである。
【０００９】
また、本発明は、前後一対の正面部と、これらの正面部の内側に折り込み可能な左右一対の側面折り込み部とを備えるガセット袋に塑性変形可能な線状部材を取り付けるための線状部材取付け装置であって、粘着面と反対側の面を吸着面に吸着して粘着ラベルを保持する空気吸引吸着装置と、非粘着面又は難粘着面からなる配置面を備え、該配置面に前記線状部材が所定の形状に配置される線状部材配置台と、前記粘着ラベルが貼着されるガセット袋の被貼着面を前記空気吸引吸着装置の吸着面に対面させる状態でガセット袋を保持する貼着台座とによって構成されるガセット袋への線状部材取付け装置を提供することにより、上記目的を達成したものである。
【００１０】
ここで、塑性変形可能な線状部材は、例えば金属製の針金や、板、細幅状板、メッシュ、リボン、或いは形状記憶合金、形状記憶樹脂等からなり、手の指の力で容易に折り曲げて変形させることができると共に、折り曲げ後の形状を容易に保持できる程度の塑性変形性を備える線状部材であり、且つ例えば取出し口部を折り返してガセット袋を閉塞した際に、取出し口部のシート材料の折り返し復元力に抵抗して、取出し口部の折り返し状態を安定して保持できる程度の塑性変形時の保形剛性を有するものである。また線状部材には、針金等の線形部材の他、ある程度の幅をもった例えば細長い帯板状の部材も含まれる。さらに、線状部材は、一本の線状部材として連続しているものの他、断続的に連続しているものも含まれる。さらにまた、塑性変形可能な線状部材として、例えば針金等の金属製の線状部材を用いる場合には、これらを被覆樹脂によって覆った状態で用いることが好ましい。
【００１１】
また、前記粘着ラベルが貼着されるガセット袋の所定の位置や、前記線状部材が配置される所定の形状は、ガセット袋の形態、使用材料、使用目的、収容される収容物の種類等に応じて、ガセット袋の閉塞や収容物の取り出しを容易に行えるように適宜選定設計された位置や形状である。
【発明の効果】
【００１２】
本発明のガセット袋への線状部材取付け方法及び取付け装置によれば、ガセット袋に対する塑性変形可能な線状部材の取付け作業を、線状部材の形状が複雑であってもスムーズ且つ安定した状態で行うことができる。
【発明を実施するための最良の形態】
【００１３】
本発明の一実施形態に係るガセット袋への線状部材取付け装置は、一例として、図１及び図２に示すような、例えば粉末状の洗剤を収容物として封入収容した洗剤製品を構成するガセット袋１０に、一対の塑性変形可能な縦方向線状部材１２と、これらの縦方向線状部材１２の上端部分を連結するようにして配置される塑性変形可能な横方向線状部材１３とからなるコの字形状の線状部材１１を、折り込み可能な側面折り込み部１４に取り付ける際に採用されたものである。
【００１４】
ここで、本実施形態によれば、ガセット袋１０は、予め設計された所定の形状に切断加工された１枚又は複数枚のシート材料に、公知の各種の折り曲げ加工や接合加工を施すことにより、矩形形状を有する底部１５と、底部１５の各辺部から立設する前後一対の正面部１６及び左右一対の側面折り込み部１４によって周囲を囲まれて、洗剤を収容する袋容器の本体部分を構成する胴部１７と、この胴部１７の上方部分に一体として連続配置され、当該ガセット袋１０を閉塞する際に折り返される部分である取出し口部１８とからなるガセット袋容器として形成されている。またガセット袋１０は、上端取出し口１９から収容物である粉末状の洗剤を予め設計された所定量投入した後に、左右一対の側面折り込み部１４をＶ字状に内側に折り込むようにしながら上端取出し口１９を例えばシール接合して封止することにより、投入された洗剤を内部に封入すると共に、洗剤の未収容部分である取出し口部１８を例えば２重に折り返した状態で、洗剤製品として製品化されている。
【００１５】
さらに、本実施形態によれば、ガセット袋１０を構成するシート材料として、例えばアルミ箔層を含む多層シートが用いられており、好ましくは、例えば最外層である第１層がポリエステル、第２層がポリエチレン、第３層がアルミ箔、第４層がポリエチレン、最内層である第５層がシーラント層からなる５層構造の多層シートを用いることができる。なお、シート材料としてアルミ箔層を含む多層シートを用いることにより、再封（リシール）する際の折り曲げ作業を容易にすることができ、さらに、袋にしわ等が発生し難くなってガセット袋１０の外観を良好に保持することが可能になる。
【００１６】
そして、本実施形態の線状部材取付け装置は、前後一対の正面部１６と、これらの正面部１６の内側に折り込み可能な左右一対の側面折り込み部１４とを備えるガセット袋１０に塑性変形可能な線状部材１１を取り付けるための装置であって、図３に示すように、粘着面２０と反対側の面を吸着面２１に吸着して粘着ラベル２２を保持する空気吸引吸着装置２３と、非粘着面又は難粘着面からなる配置面２４を備え、この配置面２４に線状部材１１が所定の形状に配置される線状部材配置台２５と、粘着ラベル２２が貼着されるガセット袋１０の被貼着面２６を空気吸引吸着装置２３の吸着面２１に対面させる状態でガセット袋１０を保持する貼着台座２７とによって構成されている。
【００１７】
また、本実施形態によれば、線状部材配置台２５の配置面２４には、線状部材１１がコの字形状（所定の形状）に配置されるようにガイドするガイド溝２８が、同様のコの字形状に形成されて設けられている。
【００１８】
さらに、本実施形態によれば、貼着台座２７は、一対の分割台座２９からなり、これらの一対の分割台座２９間の隙間３０に、ガセット袋１０の重ね合わされた一対の正面部１６及び折り込まれた他方の側面折り込み部１４を挟み込むと共に、一方の側面折り込み部１４を分割台座２９の上面で開いて正面部１６と共にＴ字断面形状を形成させることにより、一方の側面折り込み部１４を被貼着面２６として空気吸引吸着装置の吸着面２１に対面させるようになっている。
【００１９】
本実施形態の線状部材取付け装置を構成する空気吸引吸着装置２３は、例えば真空吸引装置と接続されて内部の空気室３１の空気を吸引することにより、当該空気室３１を負圧状態として、空気室３１と連通する多数の小孔が分散形成された吸着面２１に、粘着ラベル２２をシート状の被吸着物として容易に吸着保持することができるようになっている。また、空気吸引吸着装置２３の吸着面２１は、粘着ラベル２２を平坦に保持するのに十分な大きさ、形状を有している。そして、例えば回転ローラ３２を経て巻出しローラ３３から巻取りローラ３４に送り出される帯状基材シート３５に所定の間隔をおいて粘着配置された矩形形状の粘着ラベル２２を、吸着面２１を密着させることにより帯状基材シート３５から引き剥がすように吸着して、空気吸引吸着装置２３の吸着面２１に、粘着ラベル２２の粘着面２０を下方に向けた平坦な状態で、当該粘着ラベル２２を容易に保持することができるようになっている。
【００２０】
また、空気吸引吸着装置２３は、移動操作が可能な中空支持ロッド３６に連結されていることにより、前後、左右、及び上下への移動を制御することができるようになっており、吸着面２１に粘着ラベル２２を吸着した当該空気吸引吸着装置２３を、線状部材配置台２５や貼着台座２７の設置個所に適宜移動させることが可能となっている。なお、空気吸引吸着装置２３は、例えば送り出される帯状基材シート３５上の粘着ラベル２２に吸着面２１を密着させた後、帯状基材シート３５の送り出しと共に横方向に移動させて回転ローラ３２と交差させることにより、帯状基材シート３５の送り出しが回転ローラ３２を介して下方に方向転換される際に、これを通過する粘着ラベル２２は、送出し方向の先端側から少しづつ徐々に容易に引き離されることが可能になり、これによって、粘着ラベル２２の帯状基材シート３５からの引き剥がしを、さらにスムーズに行うことができるようになっている。
【００２１】
本実施形態の線状部材取付け装置を構成する線状部材配置台２５は、例えばテフロン（登録商標）製の厚板部材からなり、その上面が非粘着面又は難粘着面となっていると共に、空気吸引吸着装置２３の吸着面２１を密着させるのに十分な大きさ、形状を備える線状部材１１の配置面２４となっている。なお、本発明における非粘着面又は難粘着面は、少なくとも配置面２４に配置される線状部材１１の粘着面２０への粘着のし易さよりも、粘着性能に劣る面であることを意味するものであり、粘着面２０が粘着しない面の他、粘着しても僅かな引き剥し力で粘着ラベル２２を配置面２４から容易に剥離させることのできる程度の粘着性能を備えるものを含む趣旨である。また、配置面２４を非粘着面又は難粘着面とする手段としては、配置面２４を構成する材料として粘着面２０が剥離しやすい材質のものを選定することのほか、、配置面２４を凹凸面として実質的な粘着面積を減少させる等、配置面２４の表面形状を粘着し難い形状に加工する方法を採用することもできる。
【００２２】
本実施形態によれば、線状部材配置台２５の配置面２４に形成されるガイド溝２８は、その横断面形状が、線状部材１１の略半分の横断面形状に沿った形状となった窪み状の溝であって、その平面形状は、線状部材１１が配設されるべきコの字形状と同様のコの字形状となるように形成されている。このガイド溝２８には、粘着ラベル２２が吸着された空気吸引吸着装置２３の吸着面２１が押し付けられるのに先立って、当該ガイド溝２８をガイドとして、ガセット袋１０に取り付けられるべきコの字形状に、線状部材１１が精度良く容易に位置決め配置されることになる。
【００２３】
また、本実施形態によれば、線状部材配置台２５の配置面２４に配置される、縦方向線状部材１２及び横方向線状部材１３からなるコの字形状の線状部材１１として、例えば０．１〜５．０ｍｍ、好ましくは０．３〜１．０ｍｍの太さの金属製の針金３７を被覆樹脂３８で覆ったものを用いることができる。ここで、被覆樹脂３８としては、例えばポリオレフィン系樹脂、塩化ビニル、ポリエステル系樹脂、ポリアミド系樹脂等を用いることができ、例えば０．０５〜３．０ｍｍの厚さで線状部材１１の周囲を覆うことができる。また被覆樹脂３８は、金属製の針金３７を幅広の平たい形状で覆うことが好ましく、これによって線状部材１１のハンドリング性を向上させることが可能になると共に、粘着面積を増大させて、粘着面２０への粘着強度を効果的に向上させることが可能になる。
【００２４】
さらに、本実施形態によれば、線状部材配置台２５には、ガイド溝２８に沿って、磁石等からなる磁性体３９が、当該線状部材配置台２５に埋設されて設けられている。ガイド溝２８に沿って磁性体３９が設けられていることにより、線状部材１１が磁性体３９によって吸引される金属材料を含んでいる場合に、ガイド溝２８に沿った線状部材１１の位置決めを、さらに容易に行うことが可能になる。
【００２５】
このような線状部材配置台２５に対して、線状部材１１が配置された配置面２４に、粘着ラベル２２が吸着された空気吸引吸着装置２３の吸着面２１を密着させるように押し付けた後、押し付けた吸着面２１を再び配置面２４から引き離すことにより、コの字形状に配置された線状部材１１が、コの字形状を保ったまま粘着ラベル２２の粘着面２０に容易に粘着されることになる。
【００２６】
そして、空気吸引吸着装置２３の吸着面２１に吸着された、線状部材１１が粘着された粘着ラベル２２は、当該空気吸引吸着装置２３を介して貼着台座２７の設置個所まで移動した後、当該空気吸引吸着装置２３によって、貼着台座２７に設置したガセット袋１０の被貼着面２６である側面折り込み部１４に、粘着された線状部材１１と共に押し付けられる。これによって、粘着ラベル２２は側面折り込み部１４に貼着され、ガセット袋１０の側面折り込み部１４に塑性変形可能なコの字形状の線状部材１１が取り付けられることになる。
【００２７】
本実施形態の線状部材取付け装置を構成する貼着台座２７は、隙間３０をおいて配置された例えば６面体形状の一対の分割台座２９からなり、これらの一対の分割台座２９は、その上面を同じ高さに配置して当該上面に平坦な押付け面４０を形成している。また、貼着台座２７には、、ガセット袋１０の重ね合わされた一対の正面部１６及び折り込まれた他方の側面折り込み部１４を隙間３０に挟み込むと共に、粘着ラベル２２を貼着すべき一方の側面折り込み部１４を開いた状態で押付け面４０に平坦に配置させることにより、当該一方の側面折り込み部１４を被貼着面２６として空気吸引吸着装置の吸着面２１に容易に対面させることができるようになっている。
【００２８】
そして、貼着台座２７の押付け面４０に開いた状態で配置された一方の側面折り込み部１４に対して、粘着ラベル２２が吸着された空気吸引吸着装置２３の吸着面２１を例えば側面折り込み部１４の上部に位置するように正確に位置決めすると共に、当該吸着面２１を側面折り込み部１４に押し付けることにより、コの字形状に線状部材１１が粘着された粘着ラベル２２の粘着面２０を側面折り込み部１４に強固に粘着させる。しかる後に、空気吸引吸着装置２３の吸引を止めて粘着ラベル２２の吸着を解除し、空気吸引吸着装置２３を引き離すことにより、粘着ラベル２２を介して側面折り込み部１４の所定の位置に、コの字形状の線状部材１１が容易に取り付けられることになる。
【００２９】
上述のような工程の線状部材１１の取り付け作業を、他方の側面折り込み部１４に対しても同様にして行うことにより、図２に示すような、左右一対の側面折り込み部１４の上部に粘着ラベル２２を介して縦方向線状部材１２と横方向線状部材１３とからなるコの字形状の線状部材１１が各々取り付けられたガセット袋１０が、容易に形成されることになる。
【００３０】
ここで、このようにして形成された本実施形態のガセット袋１０によれば、正面部１６と側面折り込み部１４とが連接する４箇所の立辺４１に沿って、塑性変形可能な縦方向線状部材１２が下方に折り返される部分である取出し口部１８と洗剤を収容する本体部分である胴部１７にかけて各々取り付けられることになるので、上端取出し口１９を開封した後に、図４に示すように取出し口部１８を折り返してガセット袋１０を閉塞する際に、取出し口部１８のシート材料による折り返し復元力に効果的に抵抗して、取出し口部１８の折り返し状態を安定して保持できることになる。したがって、側面折り込み部１４を内側に折り込みつつ上端取出し口１９における一対の正面部１６の上端を重ね合わて当該上端取出し口１９を閉じながら、縦方向線状部材１２と共に取出し口部１８のシート材料を折り返し部４２に沿って下方に折り返すだけの簡単な操作によって、ガセット袋１０の上端取出し口部１９を容易且つ確実に閉塞して洗剤を効果的に保存しつつ、当該洗剤を繰り返し取り出してゆくことが可能になる。
【００３１】
また、本実施形態のガセット袋１０によれば、一対の縦方向線状部材１２の上端部分の間に横方向線状部材１３が各側面折り込み部１４を横断するように設けられるので、上端取出し口１９を開口する際に、横方向線状部材１３を直線状に復元して支持させることにより、内側に折り込まれていた側面折り込み部１４を延ばした状態として、矩形形状に拡がった上端取出し口１９を容易に保持することが可能になり、これによって、収容した洗剤の取り出しをさらに容易且つ効率良く行うことが可能になる。
【００３２】
そして、上述のような構成の本実施形態の線状部材取付け方法及び線状部材取付け装置によれば、塑性変形可能な線状部材１１の形状が複雑な例えばコの字形状であっても、ガセット袋１０に対する塑性変形可能な線状部材１１の取付け作業をスムーズ且つ安定した状態で行うことができる。すなわち、本実施形態によれば、空気吸引吸着装置２３の吸着面２１に粘着ラベル２２を吸着し、線状部材配置台２５の配置面２４に押し付けて、所定の形状に配置された線状部材１１をそのままの形状で粘着ラベル２２に粘着し、この粘着ラベル２２を被貼着面である側面折り込み部１４に貼着して、線状部材１１の形状を強固に保持したままガセット袋１０に取り付けることができるので、作業中に線状部材１１の端部が浮き上がってばたついたりすることがなく、したがって塑性変形可能な線状部材１１を所定の形状に容易且つ安定した状態で取り付けてゆくことが可能になる。
【００３３】
なお、本発明は、上記実施形態に限定されることなく種々の変更が可能である。例えば、ガセット袋に取り付けられる塑性変形可能な線状部材の所定の形状は、コの字形状である必要は必ずしもなく、Ｕ字形状やＶ字形状等のその他の複数の直線や曲線からなる折れ曲がった形状や、単純な一本の直線状の形状であっても良い。複数の直線や曲線を、連続させることなく間隔をおいて配置した形状であっても良い。また、線状部材が取り付けられるガセット袋の所定の位置は、側面折り込み部の他、正面部であっても良い。さらに、線状部材が取り付けられるガセット袋を構成するシート材料は、アルミ箔層を含む上記構成の多層シートである必要は必ずしもなく、アルミ箔層を含まないシート材料や単層のシート材料であっても良い。例えばポリオレフィン系樹脂、塩化ビニル、ポリエステル系樹脂、ポリアミド系樹脂等のシート材料を用いることができる。さらにまた、ガセット袋に収容される収容物は、粉末状の洗剤である必要は必ずしもなく、シャンプーやリンス等の液体収容物や、菓子等の固体収容物等、その他の各種の収容物を収容する袋容器として使用することもできる。
【００３４】
また、粘着ラベルは、矩形形状のものである必要は必ずしもなく、図５に示すように、線状部材が取り付けられる形状に沿った、例えばコの字形状の粘着ラベル５０を用いることもできる。さらに、貼着台座は、一対の分割台座からなるものである必要は必ずしもない。
【図面の簡単な説明】
【００３５】
【図１】本発明の一実施形態に係る線状部材取付け方法によって線状部材が取り付けられたガセット袋を用いた洗剤製品を示す斜視図である。
【図２】本発明の一実施形態に係る線状部材取付け方法によって線状部材が取り付けられたガセット袋を示す斜視図である。
【図３】本発明の一実施形態に係る線状部材取付け装置の説明図である。
【図４】取り出し口部を折り返した状態のガセット袋を示す斜視図である。
【図５】ガセット袋に貼着される粘着ラベルの他の形態を例示する斜視図である。
【符号の説明】
【００３６】
１０  ガセット袋
１１  線状部材
１２  縦方向線状部材
１３  横方向線状部材
１４  側面折り込み部
１５  底部
１６  正面部
１７  胴部
１８  取出し口部
１９  上端取出し口
２０  粘着面
２１  吸着面
２２  粘着ラベル
２３  空気吸引吸着装置
２４  配置面
２５  線状部材配置台
２６  被貼着面
２７  貼着台座
２８  ガイド溝
２９  分割台座
３０  分割台座間の隙間
３５  帯状基材シート
３７  針金
３８  被覆樹脂
３９  磁性体
４０  押付け面
【図１】
2005111723.tif 000003
【図２】
2005111723.tif 000004
【図３】
2005111723.tif 000005
【図４】
2005111723.tif 000006
【図５】
2005111723.tif 000007